(57)【要約】【課題】  外部からの動力による回転により、回転数に関係なく機構内部で新たな駆動力を付加的に発生させる課題を解決することを目的とする。【解決手段】  永久磁石や電磁石を用いた発電機と電動機を同期させて回転または移動（リニアー駆動）するようにシステムを構成しておき、このシステムに外部駆動力を供給することにより、発電機に電力を発生させ、その電力を電動機に直接又は位相調整器を介して同期的に供給することにより、電動機の固定子により発生する回転磁極と回転子の磁極との位相差を持たせることにより、外部駆動機の回転数に関係なく電動機回転子に駆動力を付加的に発生させることができる。【選択図】      図１
2006296002.tif 000002
【特許請求の範囲】
【請求項１】
永久磁石や電磁石を用いた発電機と電動機を同期させて回転または移動（リニアー駆動）するようにシステムを構成しておき、このシステムに外部駆動力を供給することにより、発電機に電力を発生させ、その電力を電動機に直接又は位相調整器を介して同期的に供給することにより、電動機の固定子に発生する回転磁極と回転子の磁極との位相差を持たせることにより、外部駆動機の如何なる回転数にても、回転数に応じて電動機回転子に駆動力を付加的に発生させるように構成したことを特徴する駆動力発生機構。
【請求項２】
請求項１において、発電機に同期発電機を、電動機に同期電動機を組み合わせて、制御部なしに同期を形成するようにしてシステムをシンプルに構成し、回転子に駆動力を付加的に発生させるようにしたことを特徴とする駆動力発生機構。
【請求項３】
請求項１において、単一または複数の多相同期機にてシステムを構成し、各同期機内の相相互の発電機能と電動機能を作用させてシンプルなシステムを形成し、共用回転子または主回転子（プラネット駆動方式）に駆動力を付加的に発生させるようにしたことを特徴とする駆動力発生機構。
【請求項４】
請求項１から請求項３において、固定子にボビン式固定子を用いてシステムをシンプルに構成したことを特徴とする駆動力発生機構。
【請求項５】
請求項１から請求項４の駆動力発生機構を回転機ばかりでなく、リニアーモーターなどのあらゆる移動機およびフライホイール式エネルギー蓄積装置に応用したことを特徴とする駆動力発生機構。
【請求項６】
請求項１から請求項５の発電機や電動機の固定子や回転子のコイルに超伝導コイルを用いて付加的駆動力を飛躍的に増加したことを特徴とする駆動力発生機構。
【請求項７】
請求項１から請求項６において発電機や電動機の外枠に駆動力発生機構の固定子を、回転子軸の一部に駆動力発生機構の回転子を該固定子に対峙して取り付け、発電機や電動機の軸と軸受を共用して、軸受の損失を軽減したことを特徴とする駆動力発生機構。
【請求項８】
請求項７において発電機や電動機の外枠内をシール構造にし、真空雰囲気に保ち、駆動力発生機構を外枠内に設置して風損を軽減したことを特徴とする駆動力発生機構。
【請求項９】
請求項１から請求項８において発電機や電動機の軸芯を鉛直にして軸受けの損失を少なくすると同時に、回転子の自重と回転子と固定子鉄心とに働く電磁浮遊力とをバランスさせ、軸受の損失を飛躍的に軽減したことを特徴とする駆動力発生機構。
【請求項１０】
請求項１から請求項９の発明を複数の発電機にて構成するマルチ発電システムに適用し、各発電機の付加的駆動力により発電量を大幅にアップしたことを特徴とする駆動力発生機構。
【発明の詳細な説明】
【技術分野】
【０００１】
本発明は、永久磁石や電磁石を回転子（移動子）に使った同期発電機と同期電動機を単数又は複数組み合わせて外部からの動力により入力軸を回転させ、発電機で発生した電力を電動機に供給することにより、入力軸に付加的に駆動力を発生させるようにした駆動力発生機構に関する。
【背景技術】
【０００２】
現在、地球上には外部からエネルギーの授受なしに付加的に駆動力を発生させる機構はない。
【０００３】
この発明に関連する技術として、発明者が出願中（未公開）の特願２００４−１９７４８のものがある。
【発明の開示】
【発明が解決しようとする課題】
【０００４】
本願発明は、同期電動機や同期発電機の回転子と固定子の空隙部の磁束密度の向上および回転磁界と磁石との配置が付加的に駆動力発生に直接関係することに着目して、外部からの動力による回転により、如何なる回転数においても機構内部で新たな駆動力を付加的に回転中常時発生させる課題を解決することを目的とする。
【課題を解決するための手段】
【０００５】
この発明は上記の目的を達成する為に課題の解決手段を順を追って説明する。
第１の発明は、永久磁石や電磁石を用いた発電機と電動機を同期させて回転または移動（リニアー駆動）するようにシステムを構成しておき、このシステムに外部駆動力を供給することにより、発電機に電力を発生させ、その電力を電動機に直接又は位相調整器を介して同期的に供給することにより、電動機の固定子に発生する回転磁極と回転子の磁極との位相差を持たせることにより、外部駆動機の如何なる回転数にても、回転数に応じて電動機回転子に駆動力を付加的に発生させるように構成したことを特徴する。
【０００６】
第２の発明は、第１の発明において、発電機に同期発電機を、電動機に同期電動機を組み合わせて、制御部なしに同期を形成するようにしてシステムをシンプルに構成し、回転子に駆動力を付加的に発生させるようにしたことを特徴とする。
【０００７】
第３の発明は、第１の発明において、単一または複数の多相同期機にてシステムを構成し、各同期機内の相相互の発電機能と電動機能を作用させてシンプルなシステムを形成し、共用回転子または主回転子（プラネット駆動方式）に駆動力を付加的に発生させるようにしたことを特徴とする。
【０００８】
第４の発明は、第１から第３の発明において、固定子にボビン式固定子を用いてシステムをシンプルに構成したことを特徴とする。
【０００９】
第５の発明は、第１から第４の発明の駆動力発生機構を回転機ばかりでなく、リニアーモーターなどのあらゆる移動機およびフライホイール式エネルギー蓄積装置に応用したことを特徴とする。
【００１０】
第６の発明は第１の発明から第５の発明の発電機や電動機の固定子や回転子のコイルに超伝導コイルを用いて付加的駆動力を増加したことを特徴とする。
【００１１】
第７の発明は、第１の発明から第６の発明において、発電機や電動機の外枠に駆動力発生機構の固定子を、回転子軸の一部に駆動力発生機構の回転子を該固定子に対峙して取り付け、発電機や電動機の軸と軸受を共用して、軸受の損失を軽減したことを特徴とする。
【００１２】
第８の発明は、第７の発明において発電機や電動機の外枠内をシール構造にし、真空雰囲気に保ち、駆動力発生機構を外枠内に設置して風損を軽減したことを特徴とする。
【００１３】
第９の発明は、第１から第８の発明において発電機や電動機の軸芯を鉛直にして軸受けの損失を少なくすると同時に、回転子の自重と回転子と固定子鉄心とに働く電磁浮遊力とをバランスさせ、軸受の損失を軽減したことを特徴とする。
【００１４】
第１０の発明は、第１から第９の発明を複数の発電機にて構成するマルチ発電システムに適用し、各発電機の付加的駆動力により発電量をアップしたことを特徴とする。
【発明の効果】
【００１５】
本発明の効果として、第１の発明は、永久磁石や電磁石を用いた発電機（発電と電動を同一機器内で行わせる場合は発電部）と電動機（発電と電動を同一機器内で行わせる場合は電動部）を同期させて回転または移動（リニアー駆動）するようにシステムを構成しておき、このシステムに外部から駆動力を供給することにより、発電機（発電部）に電力を発生させ、その電力を電動機（電動部）に直接又は位相調整器を介して同期的に供給することにより、電動機（電動部）の固定子により発生する回転磁極と回転子の磁極との位相差を持たせることにより、固定子の磁極と回転子の磁極がいかなる回転中または移動中でも相対位置を堅持し、固定子、回転子両磁極間に吸引と反撥力が常時働き、駆動力を外部駆動機の如何なる回転数（移動速度）においても、電動機回転子（移動機）に駆動力を付加的に発生させることが可能になる。
【００１６】
第２の発明は、第１の発明において、発電機に同期発電機（発電と電動を同一機器内で行わせる場合は発電機能部）を、電動機に同期電動機（発電と電動を同一機器内で行わせる場合は電動機能部）を組み合わせて制御部なしに同期を形成するようにしてシステムをシンプルに構成し、回転子に駆動力を付加的に発生させることが可能になる。
【００１７】
第３の発明は、第１の発明において、単一または複数の多相同期機にてシステムを構成し、各同期機内の相相互の発電機能と電動機能を作用させてシンプルなシステムを形成し、共用回転子または主回転子（プラネット駆動方式）に駆動力を付加的に発生させることが可能になる。
【００１８】
第４の発明は、第１から第３の発明において、固定子にボビン式固定子を用いてシステムをシンプルに構成することが可能になる。
【００１９】
第５の発明は、第１から第４の発明の駆動力発生機構を回転機ばかりでなく、リニアーモーターなどのあらゆる移動機およびフライホイール式エネルギー蓄積装置への応用が可能になる。
【００２０】
第６の発明は第１の発明から第５の発明の発電機や電動機の固定子や回転子のコイルに超伝導コイルを用いて付加的駆動力を増加し、大容量化が可能になる。
【００２１】
第７の発明は、第１の発明から第６の発明において、発電機や電動機の外枠に駆動力発生機構の固定子を、回転子軸の一部に駆動力発生機構の回転子を該固定子に対峙して取り付け、発電機や電動機の軸と軸受を共用して、軸受の損失を軽減することが可能になる。
【００２２】
第８の発明は、第７の発明において発電機や電動機の外枠内をシール構造にし、真空雰囲気に保ち、駆動力発生機構を外枠内に設置して風損を軽減することを可能にする。
【００２３】
第９の発明は、第１から第８の発明において発電機や電動機の軸芯を鉛直にして軸受けの損失を少なくすると同時に、回転子の自重と回転子と固定子鉄心間に働く電磁浮遊力とをバランスさせ、軸受の損失を軽減することを可能にする。
【００２４】
第１０の発明は、第１から第９の発明を複数の発電機にて構成するマルチ発電システムに適用し、各発電機の付加的駆動力により発電量をアップすることを可能にする。
【発明を実施するための最良の形態】
【００２５】
本発明の実施例を以下説明する。
【実施例１】
【００２６】
本発明駆動力発生機の実施例１を図１，図２に示す。１は本発明の駆動力発生機の断面構造の１実施例をしめす。２はエンドブラケット、３は固定子枠、４は発電機固定子、５は発電機、電動機の共通の回転子、６は軸受、７は電動機固定子、８は回転軸、１５、１６はそれぞれ発電機巻線および電動機巻き線を示す。
１０は本発明の駆動力発生機構を駆動する原動機で電動機、エンジン、タービン、風車、水車および人力などあらゆるものをさす。８は回転軸で同期発電機４１および同期電動機７１の回転子に締結された回転軸である。１１は同期発電機４１で発生した電力を連結線１２を介して同期電動機に供給する場合に連結線１２に流れる電流の位相を調節する為の位相調節器で、駆動力発生器１の出力を最適に調節するためのものである。
【産業上の利用可能性】
【００２７】
本発明の活用例として、一般産業用機器、家庭用電機器、自動車・車両用機器、医療機器などの駆動装置全般および風力・水力・火力等の発電機などの発電装置全般と応用範囲は極めて広く利用されうる。
【図面の簡単な説明】
【００２８】
【図１】本発明実施例１の駆動力発生機構
【図２】本発明実施例１の駆動力発生機構のシステム説明図
【符号の説明】
【００２９】
１：駆動力発生機
２：エンドブラケット
３：固定子枠
４：発電機固定子
５：回転子
６：軸受 
７：電動機固定子
８、８１：回転軸
１０：原動機 
１１：位相調節器
１２：連結線
１５：発電機巻線
１６：電動機巻線
４１：発電機
７１：電動機
【図１】
2006296002.tif 000003
【図２】
2006296002.tif 000004